(57)【特許請求の範囲】
【請求項１】
電子器具に接続された被接続部との間ではめ込まれて接続される導電性接続部と、
この導電性接続部の一部を覆ってこれを支持する柱状の絶縁性基部と、
この絶縁性基部の中で前記導電性接続部に電気的に接続されたコードであって、前記絶縁性基部の端部から前記被接続部とのはめ込み方向軸に対して斜め方向に引き出されたコードと、
このコードを覆って前記絶縁性基部の端部に被せられた筒型の絶縁性キャップ部であって、前記コードの突出側と反対側が開口されるとともに、前記開口部近傍に挿通孔が形成され、当該挿通孔が前記絶縁性基部に係合された可撓性の絶縁性キャップ部と、
を具備し、
前記絶縁性キャップ部は、前記挿通孔に前記コードが前記絶縁性基部から当該内部に挿通された状態で前記挿通孔を前記絶縁性基部の端部を通して被せられ、前記挿通孔を形成する周縁部が前記絶縁性基部の外周に係合されてなることを特徴とするコード付き接続具。
【請求項２】
前記絶縁性キャップ部は、前記絶縁性基部の外周に形成された凹溝に前記周縁部が係合されてなる請求項１記載のコード付き接続具。
【請求項３】
前記絶縁性基部における前記コードの突出側とは反対側の側面は、面取りされ斜面が形成されてなる請求項１又は２記載のコード付き接続具。
【請求項４】
前記絶縁性キャップ部は、前記開口部が前記絶縁性基部の前記斜面に揃う端面を有する請求項３記載のコード付き接続具。
【発明の詳細な説明】
【技術分野】
【０００１】
本発明はコード付き接続具に係り、例えば携帯用のオーディオ機器に使用するヘッドホン、マイクロホン等の接続コードと当該オーディオ機器その他に接続するコード付きプラグ等のコード付き接続具の改良に関する。
【背景技術】
【０００２】
携帯用のオーディオ機器に使用するヘッドホンから延びる接続コードと当該オーディオ機器を接続するコード付きプラグは、図６および図７に示すような構成が良く知られている。
【０００３】
すなわち、このようなコード付きプラグは、細長いプラグ部１の一端に絶縁被覆コード３を半田付け接続し、プラグ部１とコード３の接続部を絶縁性合成樹脂で柱状に成型して絶縁性基部５を形成し、プラグ部１の長手方向に対して横方向に絶縁性基部５から導出したコード３および絶縁性基部５の各々の外周を可撓性の絶縁性合成樹脂からなるプラグキャップ７で一体的に覆った構成を有している。
【０００４】
そして、絶縁性基部５は、ポリプロピレン等の合成樹脂からプラグ部１とコード３の接続部とをインサート射出成形によって成形するとともに、プラグキャップ７は、ポリ塩化ビニル等の可撓性合成樹脂で絶縁性基部５に直接樹脂成型したり、別部品として成形して絶縁性基部５にはめ込み嵌合される。
【０００５】
なお、絶縁性基部５の外表面には凹部９を設け、プラグキャップ７の内壁には凸部１１を設け、絶縁性基部５にプラグキャップ７をはめて凹部９と凸部１１を嵌合させ、絶縁性基部５とプラグキャップ７間の固定強度を保っている。
【０００６】
そのため、このようなコード付きプラグでは、コード３およびプラグ部１との接続部が絶縁性基部５で覆われるとともに、横方向に外部導出されたコード３が可撓性のプラグキャップ７で一体的に覆われているから、プラグキャップ７が絶縁性基部５から抜け難く、コード３を曲げたり引っ張っても、コード３に対して局部的な集中的ストレスが加わり難く、コード３が損傷を受け難い。
【０００７】
ところで、この種の一般的な技術として、例えば特許文献１（実用新案登録第３００３２７２号公報）がある。
【特許文献１】実用新案登録第３００３２７２号公報
【発明の開示】
【発明が解決しようとする課題】
【０００８】
しかしながら、上述したコード付きプラグでは、絶縁性基部５の外周に可撓性合成樹脂でプラグキャップ７を直接樹脂成型すると、プラグキャップ７を薄く成型して全体として小型化が可能であるが、プラグキャップ７を形成する合成樹脂が柔らかいほど外観にバリや肉引け等が発生し易く、不良率が高くなる欠点がある一方、材料の硬度を上げて硬くすると、コードの屈曲性能が悪化してしまう難点がある。
【０００９】
他方、プラグキャップ７を可撓性合成樹脂で別部品として成形して絶縁性基部５にはめ込む構成では、プラグ部１の外周にプラグキャップ７を直接樹脂成型する構成の欠点を改善可能であるが、絶縁性基部５の外表面に凹部９を、プラグキャップ７の内壁に凸部１１を設けないと固定強度が低下し易く、凸部１１を設けためにプラグキャップ７の薄型化が困難で、全体として小型化し難い課題がある。
【００１０】
さらに、プラグキャップ７の内壁に凸部１１を設けと、成型金型からプラグキャップ７を取り外し難くなり、製造工数が増加し易く、部品不良も発生し易い欠点もある。
【００１１】
最近、携帯用オーディオ機器の小型化に伴い、コード付きプラグに対する小型化の要望が強くなっており、従来技術では生産性に改良すべき余地があり、組み立て易く、小型化の容易なコード付き接続具が望まれている。
【００１２】
本発明はそのような課題を解決するためになされたもので、組み立て易くて生産性が良好で、構造の小型化も可能な安価なコード付き接続具の提供を目的とする。
【課題を解決するための手段】
【００１３】
そのような課題を解決するために本発明に係るコード付き接続具は、電子器具に接続された被接続部との間ではめ込まれて接続される導電性接続部と、この導電性接続部の一部を覆ってこれを支持する柱状の絶縁性基部と、この絶縁性基部の中でその導電性接続部に電気的に接続されたコードであって、その絶縁性基部の端部から被接続部とのはめ込み方向軸に対して斜め方向に引き出されたコードと、このコードを覆ってその絶縁性基部の端部に被せられた筒型の絶縁性キャップ部であって、そのコードの突出側と反対側が開口されるとともに、その開口部近傍に挿通孔を有し、この挿通孔がその絶縁性基部に係合された可撓性の絶縁性キャップ部とを具備している。
【００１４】
しかも、上記絶縁性キャップ部は、その挿通孔にコードがその絶縁性基部から当該内部に挿通された状態でその挿通孔を絶縁性基部の端部を通して被せられ、その挿通孔を形成する周縁部がその絶縁性基部の外周に係合されて構成されている。
【００１５】
本発明のコード付き接続具では、上記絶縁性キャップ部が、その絶縁性基部の外周に形成された凹溝にその周縁部を係合させてなる構成も可能である。
【００１６】
本発明のコード付き接続具では、上記絶縁性基部におけるコードの突出側とは反対側の側面に、面取りされ斜面を形成してなる構成も可能である。
【００１７】
本発明のコード付き接続具では、上記絶縁性キャップ部が、その開口部が上記絶縁性基部の斜面に揃う端面を有する構成も可能である。
【発明の効果】
【００１８】
このような本発明に係るコード付き接続具では、導電性接続部を柱状の絶縁性基部で覆ってそれを支持し、その導電性接続部に接続されるとともにその絶縁性基部の端部から斜め方向に引き出されたコードを覆うようにして絶縁性キャップ部でその絶縁性基部の端部を覆い、そのコードの突出側と反対側の開口部近傍に形成された挿通孔をその絶縁性基部に係合するようにして可撓性の絶縁性キャップ部をその絶縁性基部の端部に被せ、その挿通孔を形成する周縁部をその絶縁性基部の外周に係合した構成となっているから、組み立て易くて生産性が良好で、構造の小型化も可能で、コストの低減も図り易い。
【００１９】
本発明のコード付き接続具において、上記絶縁性キャップ部が、その絶縁性基部の外周に形成された凹溝にその周縁部を係合する構成では、その絶縁性キャップ部の絶縁性基部に対する固定強度を向上させることが容易である。
【００２０】
本発明のコード付き接続具において、上記絶縁性基部におけるコードの突出側とは反対側の側面に、面取りされ斜面を形成する構成では、その絶縁性キャップ部を絶縁性基部に被せ易く、組み立てがより一層容易である。
【００２１】
本発明のコード付き接続具において、上記絶縁性キャップ部が、その開口部にて上記絶縁性基部の斜面に揃う端面を有する構成では、外観品位を低下させ難い。
【発明を実施するための最良の形態】
【００２２】
以下、本発明の実施の形態を図面を参照して説明する。
【００２３】
図１および図２は本発明に係るコード付き接続具の実施の一形態を、コード付きプラグを例にして示す断面図および正面図である。
【００２４】
図１および図２において、プラグ部１３は、一方の先端部（図中下端部）から導電性の第１の接続部１３ａ、第２の接続部１３ｂおよび第３の接続部１３ｃを有し、それら第１、第２の接続部１３ａ、１３ｂが絶縁された状態でその第３の接続部１３ｃに支持されるとともに、円筒状の第３の接続部１３ｃの中空部内をそれら第１、第２の接続部１３ａ、１３ｂが互いに非接触又は絶縁された状態でその基部（図中上部）まで延び、独立した端子（図示省略）に接続され、導電性接続部を形成している。なお、第２の接続部１３ｂが省略される構成もある。
【００２５】
このプラグ部１３は、図示しない電子器具、例えば携帯用のオーディオ機器のジャック（被接続部）にはめ込んで接続、使用される。
【００２６】
プラグ部１３のその図示しない端子には、絶縁被覆コード１５の２本の芯線や被覆導線が半田付け等公知の手法によって接続され、コード１５が第１〜第３の接続部１３ａ〜１３ｃに電気的に接続されている。
【００２７】
このプラグ部１３自体の構成およびコード１５との接続構成は、従来公知のごく一般的なものであるから、詳細な図示は省略する。
【００２８】
このプラグ部１３の他方の先端部側（図中上端部）は、例えばポリプロピレン等の絶縁性合成樹脂によってコード１５との接続部を覆ってインサート射出成形され、円柱状の絶縁性基部１７が形成されている（図３参照）。
【００２９】
絶縁性基部１７は、この縦軸又はプラグ部１３のはめ込み方向軸に対して約９０°横方向に屈曲されて若干Ｌ字形に屈曲成型されており、コード１５がその屈曲部から横方向に引き出されている。
【００３０】
絶縁性基部１７は、図１および図４に示すように、コード１５が突出する屈曲部付け根において、凹溝（凹部）１９がプラグ部１３と共軸状に形成されている。
【００３１】
絶縁性基部１７は、コード１５の突出側とは反対側の側面が曲面状に面取りされ上方に先細りの斜面２１が形成されている。
【００３２】
絶縁性キャップ部２３は、ポリ塩化ビニル等の可撓性合成樹脂から筒型に成型され、絶縁性基部１７から突出するコード１５を弾性的に覆って絶縁性基部１７の端部に被せられている。絶縁性キャップ部２３に使用する可撓性合成樹脂は、絶縁性基部１７より柔らかく、例えばゴム硬度がほぼ６０度（数字が小さいほど柔らかい）又は若干小さい程度が好ましい。
【００３３】
絶縁性キャップ部２３は、コード１５の突出側と反対側が開口されるとともに、その開口部近傍に挿通孔２５が貫通形成され、その挿通孔２５を形成する周縁部２７が絶縁性基部１７の凹溝１９に係合されている。
【００３４】
挿通孔２５の内径は、周縁部２７が絶縁性基部１７の凹溝１９から外れ難い程度で、凹溝１９の内底の直径より僅かに大径になっている。
【００３５】
なお、絶縁性キャップ部２３にあって、周縁部２７近傍は、絶縁性基部１７の凹溝１９に係合されるとともに、絶縁性基部１７に密着当接するように絶縁性キャップ部２３外周から突設されている。
【００３６】
絶縁性キャップ部２３は、コード１５を覆う筒部に複数のスリット２９が形成されてコード１５の屈曲に従って容易に屈曲変形可能になっているとともに、コード１５の突出側とは反対側の側面が曲面状に面取りされ斜面３１を有している。
【００３７】
そのため、絶縁性基部１７に絶縁性キャップ部２３が被せられた状態において、絶縁性キャップ部１７の開口部の斜面３１と絶縁性基部１７の側面側の斜面２１が、同一曲面又は斜面となるよう揃っている。
【００３８】
すなわち、絶縁性キャップ部２３の挿通孔２５が絶縁性基部１７の上部を通って図１に示す凹溝１９に嵌挿されるが、その過程で、周縁部２７が図中左側に引張られて拡開されながら、かつ斜面２１を滑りながら嵌挿される。換言すれば、挿通孔２５が弾性変形しながら拡開して絶縁性キャップ部２３が被せられる。
【００３９】
このような本発明に係るコード付きプラグは、例えば図５に示すように、挿通孔２５からコード１５を絶縁性基部１７の内部に挿通した状態から、絶縁性キャップ部２３を絶縁性基部１７の端部（頭部）まで移動させ、挿通孔２５を絶縁性基部１７の頭部を通すようにして挿通孔２５の周縁部２７を絶縁性基部１７の凹溝１９に係合し、絶縁性キャップ部２３を絶縁性基部１７の端部に被せて組み立てられる。
【００４０】
この過程では、絶縁性基部１７の斜面２１が、上方に先細りに形成されているから、挿通孔２５の周縁部２７が絶縁性基部１７の側面側斜面２１に当接し易いうえ、若干拡開しながら側斜面２１を滑って凹溝１９に係合し易くなっている。
【００４１】
このように構成された本発明に係るコード付きプラグは、電子器具に接続された被接続部との間ではめ込まれて接続されるプラグ部（導電性接続部）１３と、そのプラグ部１３の一部を覆ってこれを支持する円柱状の絶縁性基部１７と、この絶縁性基部１７の中でその導電性接続部に電気的に接続されたコード１５であって、その絶縁性基部１７の端部から被接続部とのはめ込み方向軸に対して横方向に引き出されたコード１５と、このコード１５を覆ってその絶縁性基部１７の端部に被せられた筒型の絶縁性キャップ部２３であって、そのコード１５の突出側と反対側が開口されるとともに、その開口部近傍に挿通孔２５が形成され、当該挿通孔２５がその絶縁性基部１７に係合された可撓性の絶縁性キャップ部２３とを具備している。
【００４２】
しかも、その絶縁性キャップ部２３は、その挿通孔２５にコード１５がその絶縁性基部１７から当該内部に挿通された状態で、その挿通孔２５を絶縁性基部１７の端部を通して被せられ、その挿通孔２５を形成する周縁部２７がその絶縁性基部１７外周に凹溝（凹部）１９に係合されて構成されている。
【００４３】
そのため、絶縁性キャップ部２３が、絶縁性基部１７の端部に部分的にはめ込まれるようにして被されてなるから、組み立てが容易かつ生産性が良好で、全体構造の小型化も可能で、コストの低減が容易である。
【００４４】
また、絶縁性キャップ部２３には、凸部１１等を設ける必要がないから、絶縁性キャップ部２３成型用の金型構造も簡単で、部品の生産性も向上するし、絶縁性キャップ部２３に柔らかい合成樹脂を使用しても、絶縁性基部１７との固定強度を良好に維持可能である。
【００４５】
しかも、絶縁性基部１７におけるコード１５の突出側とは反対側の側面が、曲面状に面取りされ斜面が形成されているから、絶縁性キャップ部２３を絶縁性基部１７に被せ易く、この点からも組み立てが容易である。
【００４６】
また、絶縁性キャップ部２３が、絶縁性基部１７の外周に形成された凹溝１９にその周縁部２７が係合されているから、その絶縁性キャップ部２３の絶縁性基部１７に対する固定強度も向上する。
【００４７】
さらに、絶縁性キャップ部２３が、絶縁性基部１７の斜面に揃う端面を有するから、外観品位を低下させ難い。
【００４８】
上述した実施の形態では、コード１５が絶縁性基部１７の端部からプラグ部１３のはめ込み方向軸に対して９０°の角度で横方向に引き出されているが、コード１５は被接続部のはめ込み方向軸に対して斜め方向に引き出される構成において実施可能である。
【００４９】
上述した実施の形態では一例としてコード付きプラグを例にして説明したが、本発明ではコード付きジャックにおいても実施可能であるし、種々のコード付き接続具において実施可能である。
【図面の簡単な説明】
【００５０】
【図１】本発明に係るコード付き接続具の実施の形態を示す断面図（図３中のI−I間断面で、一部側面で示す。）である。
【図２】本発明に係るコード付き接続具の実施の形態を示す正面図である。
【図３】本発明に係るコード付き接続具の実施の形態を示す断面図（図２のIII−III間断面で、一部側面で示す。）である。
【図４】図１のコード付き接続具の分解斜視図である。
【図５】図１のコード付き接続具の組み立て工程を説明する断面図（一部側面で示す。）である。
【図６】従来のコード付き接続具を示す断面図（一部側面で示す。）である。
【図７】従来のコード付き接続具を示す斜視図である。
【符号の説明】
【００５１】
１、１３  プラグ部
３、１５  コード
５、１７  絶縁性基部
７  プラグキャップ
９  凹部
１１  凸部
１３ａ  第１の接続部
１３ｂ  第２の接続部
１３ｃ  第３の接続部
１９  凹溝（凹部）
２１、３１  斜面
２３  絶縁性キャップ部
２５  挿通孔
２７  周縁部
２９  スリット
【図１】
0005022244.tif 000002
【図２】
0005022244.tif 000003
【図３】
0005022244.tif 000004
【図４】
0005022244.tif 000005
【図５】
0005022244.tif 000006
【図６】
0005022244.tif 000007
【図７】
0005022244.tif 000008